(57)【要約】 【課題】  ピン−ホール不良を防止することができる平板蛍光ランプ、バックライトアセンブリ、及びこれを有する液晶表示装置が開示されている。【解決手段】  平板蛍光ランプは、多数の放電空間に分割され光を発生するランプ本体、ランプ本体の両端部に放電空間と交差するように形成された外部電極、及び外部電極と接触されるようにランプ本体に結合された補助電極を含む。外部電極は、全ての放電空間と交差される主電極部及び外郭と隣接した放電空間に対応して主電極部から延長された第１補償電極部を含む。補助電極は、第１補償電極部が形成された放電空間に対応して配置される。従って、平板蛍光ランプで発生されるピン−ホール不良を除去して、製品の信頼性を向上させることができる【選択図】    図１
2006196445.tif 000002
【特許請求の範囲】
【請求項１】
多数の放電空間に分割され光を発生するランプ本体と、
前記ランプ本体の両端部に前記放電空間と交差するように形成された外部電極と、
前記外部電極と接触されるように前記ランプ本体に結合された補助電極とを含むことを特徴とする平板蛍光ランプ。
【請求項２】
前記外部電極は、
全ての前記放電空間と交差される主電極部と、
前記放電空間の最外側に隣接した放電空間に対応して、前記主電極部から延長された第１補償電極部とを含むことを特徴とする請求項１記載の平板蛍光ランプ。
【請求項３】
前記補助電極は、前記第１補償電極部が形成された放電空間に対応して配置されることを特徴とする請求項２記載の平板蛍光ランプ。
【請求項４】
前記外部電極は、
前記ランプ本体の中央部に位置する放電空間に対応して、前記主電極部から延長された第２補償電極部を更に含むことを特徴とする請求項２記載の平板蛍光ランプ。
【請求項５】
前記補助電極は、前記第１補償電極部及び前記第２補償電極部が形成された放電空間に対応して配置されることを特徴とする請求項４記載の平板蛍光ランプ。
【請求項６】
前記補助電極は、
前記ランプ本体の上部に対応される第１接触部と、
前記ランプ本体の下部に対応される第２接触部と、
前記第１接触部と前記第２接触部とを接続する接続部とを含むことを特徴とする請求項１記載の平板蛍光ランプ。
【請求項７】
前記ランプ本体は、
第１基板と、
前記第１基板と結合され前記放電空間を形成する第２基板とを含むことを特徴とする請求項１記載の平板蛍光ランプ。
【請求項８】
前記第２基板は、
前記第１基板と離隔して前記放電空間を形成する放電空間部と、
前記放電空間部の間に位置し、前記第１基板と接して前記放電空間を分割する空間分割部と、
前記放電空間部及び前記空間分割部のエッジに位置し、前記第１基板と結合されるシーリング部とを含むことを特徴とする請求項７記載の平板蛍光ランプ。
【請求項９】
前記外部電極は、前記第２基板の外面に形成されることを特徴とする請求項７記載の平板蛍光ランプ。
【請求項１０】
前記外部電極は、前記第１基板及び前記第２基板の外面にそれぞれ形成されることを特徴とする請求項７記載の平板蛍光ランプ。
【請求項１１】
収納空間を有する収納容器と、
前記収納容器に収納され、多数の放電空間に分割されたランプ本体及び前記ランプ本体の一つ又は両端部に前記放電空間と交差されるように形成された外部電極を有する平板蛍光ランプと、
前記外部電極をカバーしながら前記平板蛍光ランプを固定し、前記外部電極と接触される補助電極を有する第１モールドと、
前記平板蛍光ランプの発光のための放電電圧を発生するインバータとを含むことを特徴とするバックライトアセンブリ。
【請求項１２】
前記外部電極は、
全ての前記放電空間と交差される主電極部と、
外郭と隣接した放電空間に対応して前記主電極部から延長された第１補償電極部とを含むことを特徴とする請求項１１記載のバックライトアセンブリ。
【請求項１３】
前記補助電極は、前記第１補償電極部が形成された放電空間に対応して形成されることを特徴とする請求項１２記載のバックライトアセンブリ。
【請求項１４】
前記外部電極は、
前記ランプ本体の中央部に位置する放電空間に対応して前記主電極部から延長された第２補償電極部を更に含むことを特徴とする請求項１２記載のバックライトアセンブリ。
【請求項１５】
前記補助電極は、前記第１補償電極部及び前記第２補償電極部が形成された放電空間に対応して形成されることを特徴とする請求項１４記載のバックライトアセンブリ。
【請求項１６】
前記ランプ本体は、
第１基板と、
前記第１基板と結合され前記放電空間を形成する第２基板と、を含み、
前記第２基板は、
前記第１基板と離隔して前記放電空間を形成する放電空間部と、
前記放電空間部の間に位置し、前記第１基板と接して前記放電空間を分割する空間分割部と、
前記放電空間部及び前記空間分割部のエッジに位置し、前記第１基板と結合されるシーリング部とを含むことを特徴とする請求項１１記載のバックライトアセンブリ。
【請求項１７】
前記第１モールドは、前記放電空間部に対応される溝を有し、
前記補助電極は、前記溝の内側に形成されることを特徴とする請求項１６記載のバックライトアセンブリ。
【請求項１８】
収納空間を有する収納容器と、
前記収納容器に収納され、多数の放電空間に分割され光を発生するランプ本体、前記ランプ本体の両端部に前記放電空間と交差されるように形成された外部電極、及び前記外部電極と接触されるように前記ランプ本体に結合された補助電極を含む平板蛍光ランプと、
前記平板蛍光ランプの発光のための放電電圧を発生するインバータと、
前記平板蛍光ランプから供給される光を利用して画像を表示する液晶表示パネルとを含むことを特徴とする液晶表示装置。
【請求項１９】
前記外部電極は、
全ての前記放電空間と交差される主電極部と、
外郭と隣接した放電空間に対応して前記主電極部から延長された第１補償電極部とを含むことを特徴とする請求項１８記載の液晶表示装置。
【請求項２０】
前記補助電極は、前記第１補償電極部が形成された放電空間に対応して配置されることを特徴とする請求項１９記載の液晶表示装置。
【請求項２１】
前記外部電極は、
前記ランプ本体の中央部に位置する放電空間に対応して、前記主電極部から延長された第２補償電極部を更に含むことを特徴とする請求項１９記載の液晶表示装置。
【請求項２２】
前記補助電極は、前記第１補償電極部及び前記第２補償電極部が形成された放電空間に対応して配置されることを特徴とする請求項２１記載の液晶表示装置。
【請求項２３】
前記外部電極をカバーしながら前記平板蛍光ランプを固定する第１モールドと、
前記平板蛍光ランプの上部に配置され前記平板蛍光ランプから供給される光を拡散させる拡散板と、
前記拡散板の上部に配置される少なくとも一つの光学シートと、
前記拡散板及び前記光学シートを固定する第２モールドとを更に含むことを特徴とする請求項１８記載の液晶表示装置。
【請求項２４】
収納空間を有する収納容器と、
前記収納容器に収納され、多数の放電空間に分割されたランプ本体及び前記ランプ本体の両端部に前記放電空間と交差されるように形成された外部電極を有する平板蛍光ランプと、
前記外部電極をカバーしながら前記平板蛍光ランプを固定し、前記外部電極と接触される補助電極を有する第１モールドと、
前記平板蛍光ランプの発光のための放電電圧を発生するインバータと、
前記平板蛍光ランプから供給される光を利用して画像を表示する液晶表示パネルとを含むことを特徴とする液晶表示装置。
【請求項２５】
前記外部電極は、
全ての前記放電空間と交差される主電極部と、
外郭と隣接した放電空間に対応して前記主電極部から延長された第１補償電極部と、を含み、
前記補助電極は、前記第１補償電極部が形成された放電空間に対応して形成されることを特徴とする請求項２４記載の液晶表示装置。
【請求項２６】
前記外部電極は、
前記ランプ本体の中央部に位置する放電空間に対応して、前記主電極部から延長された第２補償電極部を更に含み、
前記補助電極は、前記第１補償電極部及び前記第２補償電極部が形成された放電空間に対応して形成されることを特徴とする請求項２５記載の液晶表示装置。
【発明の詳細な説明】
【技術分野】
【０００１】
本発明は、平板蛍光ランプ、バックライトアセンブリ、及びこれを有する液晶表示装置に関し、より詳細には、平板形状ランプのピン−ホール不良を防止できる平板蛍光ランプ、バックライトアセンブリ、及びこれを有する液晶表示装置に関する。
【背景技術】
【０００２】
一般に、液晶表示装置（ＬＣＤ）は、異方性屈折率、異方性誘電率等の光学的、電気的特性を有する液晶を利用して、画像を表示する表示装置である。このような液晶表示装置は、ＣＲＴ、ＰＤＰ等の他の表示装置に比べ、薄く、軽く、低い駆動電圧及び低い消費電力を有するという長所があり、産業全般にかけて広範囲に使用されている。
【０００３】
このような液晶表示装置は、画像を表示するための液晶表示パネルが自体的に発光しない非発光性素子なので、液晶表示パネルに光を供給するための別の光源を必要とする。
【０００４】
従来の光源としては、細くて長い円筒形状の冷陰極蛍光ランプ（ＣＣＦＬ）が主に使用された。しかし、液晶表示装置が大型化されるにつれて、要求される冷陰極蛍光ランプの個数が増加しており、これによって、製造原価が増加し、輝度均一性等の光学的特性が劣化するという問題が生じている。
【０００５】
このような問題点を解決するために、最近は、面形状に光を直接出射する平板蛍光ランプに関する開発が進められている。平板蛍光ランプは、多数の放電空間に分割され光を発生するランプ本体と、ランプ本体に放電電圧を印加するための外部電極とを含む。このような平板蛍光ランプは、インバータから外部電極に印加される放電電圧によってそれぞれの放電空間でプラズマ放電を発生させる。この際、ランプ本体の内部に形成されている蛍光膜は、プラズマ放電によって発生された紫外線によって励起され可視光を発生させる。
【０００６】
一方、平板蛍光ランプの駆動時、放電空間のうち、外郭と最も隣接した上端及び下端に位置する放電空間の輝度が、金属材質である収納容器との間で発生される寄生容量の差異によって、他の放電空間の輝度と比較して相対的に劣化するという問題が発生する。従って、このような輝度低下を補償するために、外郭と隣接した放電空間に対応して補償電極を形成する。しかし、放電空間で流れる電流が補償電極の形成された放電空間に集中する現象が生じ、ランプ本体に孔が発生されるというピン−ホール（Ｐｉｎ  Ｈｏｌｅ）不良が生じるという問題がある。
【発明の開示】
【発明が解決しようとする課題】
【０００７】
従って、本発明はこのような問題点を勘案したもので、本発明の目的は、ピン−ホール不良を防止できる平板蛍光ランプを提供することにある。
【０００８】
本発明の他の目的は、平板蛍光ランプのピン−ホール不良を防止できるバックライトアセンブリを提供することにある。
【０００９】
本発明の更に他の目的は、前記したバックライトアセンブリを有する液晶表示装置を提供することにある。
【課題を解決するための手段】
【００１０】
前述した本発明の目的を達成するための平板蛍光ランプは、ランプ本体、外部電極、及び補助電極を含む。前記ランプ本体は、多数の放電空間に分割され光を発生する。前記外部電極は、前記ランプ本体の両端部に前記放電空間と交差されるように形成される。前記補助電極は、前記外部電極と接触されるように、前記ランプ本体に結合される。前記外部電極は、全ての放電空間と交差される主電極部及び外郭と隣接した放電空間に対応して前記主電極部から延長された第１補償電極部を含む。前記補助電極は、前記第１補償電極部が形成された放電空間に対応して配置される。
【００１１】
本発明の他の目的を達成するためのバックライトアセンブリは、収納容器、平板蛍光ランプ、第１モールド、及びインバータを含む。前記収納容器は、平板蛍光ランプを収納するための収納空間を有する。前記平板蛍光ランプは、多数の放電空間に分割されたランプ本体、及び前記ランプ本体の両端部に前記放電空間と交差するように形成された外部電極を有する。前記第１モールドは、前記外部電極をカバーしながら前記平板蛍光ランプを固定し、前記外部電極と接触される補助電極を有する。前記インバータは、前記平板蛍光ランプの発光のための放電電圧を発生する。前記外部電極は、全ての放電空間と交差される主電極部及び外郭と隣接した放電空間に対応して前記主電極部から延長された第１補償電極部を含む。前記補助電極は、前記第１補償電極部が形成された放電空間に対応して形成される。
【００１２】
本発明の更に他の目的を達成するための一特徴による液晶表示装置は、収納空間を有する収納容器、平板蛍光ランプ、インバータ、及び液晶表示パネルを含む。前記平板蛍光ランプは、多数の放電空間に分割され光を発生するランプ本体、前記ランプ本体の両端部に前記放電空間と交差するように形成された外部電極、及び前記外部電極と接触されるように前記ランプ本体に結合された補助電極を含む。前記インバータは、前記平板蛍光ランプの発光のための放電電圧を発生する。前記液晶表示パネルは、前記平板蛍光ランプから供給される光を利用して画像を表示する。
【００１３】
本発明の更に他の目的を達成するための他の特徴による液晶表示装置は、収納空間を有する収納容器、平板蛍光ランプ、第１モールド、インバータ、及び液晶表示パネルを含む。前記平板蛍光ランプは、多数の放電空間に分割されたランプ本体、及び前記ランプ本体の両端部に前記放電空間と交差するように形成された外部電極を有する。前記第１モールドは、前記外部電極をカバーしながら前記平板蛍光ランプを固定し、前記外部電極と接触される補助電極を有する。前記インバータは、前記平板蛍光ランプの発光のための放電電圧を発生する。前記液晶表示パネルは、前記平板蛍光ランプから供給される光を利用して画像を表示する。
【００１４】
このような平板蛍光ランプ、バックライトアセンブリ、及びこれを有する液晶表示装置によると、平板蛍光ランプから発生されるピン−ホール不良を除去して、製品の信頼性を向上させることができる。
【発明を実施するための最良の形態】
【００１５】
以下、添付図面を参照して、本発明の好ましい実施例をより詳細に説明する。
【００１６】
図１は、本発明の一実施例による平板蛍光ランプを示す斜視図であり、図２は、図１に図示された平板蛍光ランプの平面図である。
【００１７】
図１及び図２を参照すると、本発明の一実施例による平板蛍光ランプ１００は、ランプ本体２００、外部電極３００、及び補助電極４００を含む。
【００１８】
ランプ本体２００は、多数の放電空間２３０に分割され光を発生する。ランプ本体２００は、面形状に光を出射するために、上から見た平面が四角形の形状を有する。ランプ本体２００は、外部のインバータから外部電極３００に印加される放電電圧によって放電空間２３０でプラズマ放電を発生させ、プラズマ放電によって発生された紫外線を可視光に変換して外部に出射する。ランプ本体２００は、広い発光面積を有するので、発光効率を向上させ、均一な発光のために内部空間が多数の放電空間２３０に分割された構造を有する。ランプ本体２００は、多数の放電空間２３０を形成するために互いに結合される第１基板２１０及び第２基板２２０を含む。
【００１９】
外部電極３００は、ランプ本体２００の両端部に全ての放電空間２３０と交差するように形成される。外部電極３００は、ランプ本体２００の上部面、即ち、第２基板２２０の外面に形成される。これと異なり、外部電極３００は、ランプ本体２００の上部面及び下部面にそれぞれ形成されることができる。
【００２０】
外部電極３００は、主電極部３１０及び第１補償電極部３２０を含む。主電極部３１０は、同じ線幅に延長され全ての放電空間２３０と交差される。第１補償電極部３２０は、外郭と隣接した放電空間２３０、即ち、最上端及び最下端に位置する放電空間２３０に対応して、主電極部３１０から放電空間２３０の中心方向に延長されるように形成される。第１補償電極部３２０は、外郭と隣接する放電空間２３０の輝度低下を補償する。即ち、平板蛍光ランプ１００が金属材質の収納容器に収納される時、大部分の放電空間２３０は、収納容器の底面とのみ隣接するが、最上端及び最下端に位置する放電空間２３０は、収納容器の底面のみならず、収納容器の側面とも隣接して、寄生容量が増加される。最上端及び最下端に位置する放電空間２３０は、このような寄生容量の増加によって、放電中に収納容器との間で発生される漏洩電流が増加し、これによって、他の放電空間２３０に対して輝度が低下する。従って、第１補償電極部３２０は、最上端及び最下端の放電空間２３０と重畳される電極の面積を増加させ、漏洩電流の増加によって発生される輝度低下を補償する。
【００２１】
補助電極４００は、外部電極３００と電気的に接触されるように、ランプ本体２００に結合される。特に、補助電極４００は、第１補償電極部３２０が形成された外郭と隣接した放電空間２３０に対応されるように、ランプ本体２００に結合される。本実施例において、補助電極４００は、最上端及び最下端の放電空間２３０の両端部にそれぞれ結合されるように４個で構成される。
【００２２】
補助電極４００は、第１補償電極部３２０が形成された放電空間２３０でピン−ホールが発生されることを防止する。即ち、第１補償電極部３２０が形成された放電空間２３０には、他の放電空間２３０に対して相対的に多い電流が流れることになって、ランプ本体２００の表面に孔が生じるピン−ホール現象が発生し易い。従って、補助電極４００は、第１補償電極部３２０が形成された放電空間２３０に対応されるランプ本体２００の絶縁破壊に対する限界値を増加させ、放電空間２３０に加わる電界を分散させ、ピン−ホールが発生されることを防止する。
【００２３】
図３は、図１のＩ−Ｉ’に沿って切断した平板蛍光ランプの断面図である。
【００２４】
図１及び図３を参照すると、平板蛍光ランプ１００は、ランプ本体２００、ランプ本体２００の両端部に形成された外部電極３００、及び外部電極３００と接触された補助電極４００を含む。
【００２５】
ランプ本体２００は、多数の放電空間２３０を形成するために互いに結合された第１基板２１０及び第２基板２２０を含む。
【００２６】
第１基板２１０は、四角形のプレート形状を有する。第１基板２１０は、一実施例として、ガラス材質からなる。第１基板２１０は、放電空間２３０から発生された紫外線が漏洩しないように、紫外線を遮断する物質を含むことができる。
【００２７】
第２基板２２０は、放電空間２３０から発生された可視光が透過されることができる透明な材質で形成される。例えば、第２基板２２０は、ガラス材質からなる。第２基板２２０は、放電空間２３０から発生された紫外線が漏洩しないように紫外線を遮断する物質を含むことができる。
【００２８】
第２基板２２０は、多数の放電空間２３０を形成するために、放電空間部２２２、空間分割部２２４、及びシーリング部２２６を含む。放電空間部２２２は、第１基板２１０と離隔して放電空間２３０を形成する。空間分割部２２４は、放電空間部２２２の間に位置し、第１基板２１０と接して放電空間２３０を分割する。シーリング部２２６は第２基板２２０のエッジに位置し、第１基板２１０と結合される。
【００２９】
このような形状の第２基板２２０は、成型加工によって形成される。即ち、第１基板２１０のようなプレート形状のベース基板を一定温度で加熱した後、所望する形状の金型を通じて前記ベース基板を成型することによって、放電空間部２２２、空間分割部２２４、及びシーリング部２２６を含む第２基板２２０を得ることができる。この以外にも、第２基板２２０は、ベース基板を加熱した後、空気の吸入を通じて形状を加工する等の多様な方法によって形成されることができる。
【００３０】
第２基板２２０の縦断面は、図３に示すように、アーチ形状の放電空間部２２２が一定間隔に離隔して、連続的に接続される形状を有する。しかし、これと異なり、第２基板２２０は、放電空間部２２２の縦断面が半円、四角形、梯形等の多様な形状を有するように形成されることができる。
【００３１】
第２基板２２０には、互いに隣接した放電空間２３０を接続するための接続通路２２８が形成される。接続通路２２８は、各空間分割部２２４に少なくとも一つ以上が形成される。接続通路２２８は、放電空間２３０に存在する空気を排気するか、放電空間２３０に放電ガスを注入する時、空気又は放電ガスが移動することができる通路を提供する。接続通路２２８は、第２基板２２０の成型加工時に同時に形成される。接続通路２２８は、隣接した放電空間２３０を互いに接続できる形状であれば、多様な形状を有することができる。一例として、接続通路２２８は、Ｓ字形状に曲がる構造を有する。このように、接続通路２２８がＳ字形状に曲がる構造を有すると、放電ガスが移動することができる移動経路が長くなって、隣接した放電空間２３０間の相互干渉による偏流現象を防止することができる。
【００３２】
第１基板２１０と第２基板２２０は、接着部材２４０を介して互いに結合される。一例として、接着部材２４０は、ガラスより低い融点を有するガラスと金属の混合物であるフリットで形成される。フリットは、第１基板２１０と第２基板２２０の結合のために、第１基板２１０と第２基板２２０との間のシーリング部２２６と対応される位置に配置される。第１基板２１０と第２基板２２０との間に配置されたフリットは、外部から加わった熱によって溶融され、第１基板２１０と第２基板２２０を接着させる。このような結合工程は、約４００℃〜約６００℃で行われる。
【００３３】
第２基板２２０の空間分割部２２４は、ランプ本体２００の内部と外部との間の圧力差によって第１基板２１０に密着される。具体的に、第１基板２１０と第２基板２２０の結合後、放電空間２３０に存在する空気を排気して真空状態を作り、以後、放電空間２３０にはプラズマ放電のための多様な種類の放電ガスを注入される。例えば、放電ガスは、水銀（Ｈｇ）、ネオン（Ｎｅ）、アルゴン（Ａｒ）等を含む。放電空間２３０に存在する放電ガスのガス圧は、約５０〜約７０ｔｏｒｒ程度で、外部大気圧である７６０ｔｏｒｒと比較して、圧力差が発生される。このような圧力差によってランプ本体２００の外部から内部に向かう力が発生され、このような力によって空間分割部２２４は第１基板２１０に密着される。
【００３４】
一方、ランプ本体２００は、第１基板２１０及び第２基板２２０の互いに向かい合う内面にそれぞれ形成された第１蛍光膜２５０及び第２蛍光膜２６０を更に含む。第１蛍光膜２５０及び第２蛍光膜２６０は、放電空間２３０でプラズマ放電を通じて発生される紫外線によって励起され、可視光を放出する。
【００３５】
ランプ本体２００は、第１基板２１０と第１蛍光膜２５０との間に形成された反射膜２７０を更に含む。反射膜２７０は、第１蛍光膜２５０及び第２蛍光膜２６０から発生される可視光を反射させて、第１基板２１０を通じて可視光が漏洩することを防止する。例えば、反射膜２７０は反射率を向上させ、色座標の変化を減少させるために、酸化アルミニウム（Ａｌ２Ｏ３）又は硫酸バリウム（ＢａＳＯ４）等の金属酸化物からなる。
【００３６】
第１蛍光膜２５０、第２蛍光膜２６０、及び反射膜２７０は、第１基板２１０と第２基板２２０の結合前に、第１基板２１０及び第２基板２２０にスプレー方式を通じて薄い膜形状に形成される。この際、第１蛍光膜２５０、第２蛍光膜２６０、及び反射膜２７０は、シーリング部２２６に対応される領域を除いた全体領域に形成される。これと異なり、第１蛍光膜２５０、第２蛍光膜２６０、及び反射膜２７０は、空間分割部２２４に対応される領域にも形成されないことができる。
【００３７】
図示していないが、ランプ本体２００は、第１基板２１０と反射膜２７０との間、及び／又は第２基板２２０と第２蛍光膜２６０との間に形成される保護膜を更に含むことができる。保護膜は、第１基板２１０又は第２基板２２０と放電ガスの主成分である水銀との化学的な反応を防止して、水銀の損失及び黒化現象を防止する。
【００３８】
図４は、図２に図示された平板蛍光ランプの一部分を拡大した拡大図である。
【００３９】
図４を参照すると、外部電極３００は、全ての放電空間と交差するように形成された主電極部３１０、及び主電極部３１０から延長された第１補償電極部３２０を含む。
【００４０】
主電極部３１０は、全ての放電空間と交差するように放電空間部２２２の長手方向と垂直な方向に形成される。主電極部３１０は、全ての放電空間と同じ面積が対応されるように長手方向に沿って同じ線幅ＬＷで形成される。一例として、主電極部３１０は、約１０ｍｍの線幅ＬＷを有するように形成される。
【００４１】
第１補償電極部３２０は、外郭と隣接した放電空間、即ち、最上端及び最下端に位置する放電空間に対応して形成される。第１補償電極部３２０は、主電極部３１０から放電空間の中心方向に第１長さＬ１だけ延長されるように形成される。第１補償電極部３２０の第１長さＬ１は、外郭と隣接した放電空間で発生される輝度低下を補償するのに適合な長さに形成される。一例として、第１補償電極部３２０は、約２ｍｍ〜約３ｍｍの第１長さＬ１を有する。
【００４２】
外部電極３００は、外部のインバータから印加される放電電圧をランプ本体２００に伝達するために、導電性物質で形成される。外部電極３００は、一例として、銀と酸化シリコンの混合物である銀ペーストのコーティングによって形成される。以外にも、外部電極３００は、金属又は金属混合物からなる金属パウダーをスプレーコーティングする方式によって形成されることができる。図示していないが、外部電極３００の外部には、外部電極３００を保護するための絶縁膜が更に形成されることができる。この際、絶縁膜は、補助電極４００と接続される領域に対応して外部電極３００が露出されるように部分的に開口される。
【００４３】
補助電極４００は、ピンホールの発生を防止するために、第１補償電極部３２０が形成された外郭と隣接した放電空間に対応して、外部電極３００と電気的に接触されるように、ランプ本体２００に結合される。
【００４４】
図５は、図１に図示された補助電極を具体的に示す斜視図である。
【００４５】
図１及び図５を参照すると、補助電極４００は、外部電極３００と電気的に接続されるために、電気伝導性を有する金属で形成される。補助電極４００は、ランプ本体２００の側部を囲みながら、外部電極３００と接続される。補助電極４００は、ランプ本体２００との安定的な結合のために、ランプ本体２００の外型に対応される形状を有する。
【００４６】
補助電極４００は、ランプ本体２００の上部に対応される第１接触部４１０、ランプ本体２００の下部に対応される第２接触部４２０、及び第１接触部４１０と第２接触部４２０を接続する接続部４３０を含む。外部電極３００がランプ本体２００の上部面及び下部面にそれぞれ形成された場合、第１接触部４１０は、ランプ本体２００の上部面に形成された外部電極３００と電気的に接続され、第２接触部４１０は、ランプ本体２００の下部面に形成された外部電極３００と接触される。
【００４７】
補助電極４００の安定的な結合のために、第１接触部４１０及び第２接触部４２０は、外部電極３００に半田付け（ｓｏｌｄｅｒｉｎｇ）されることができる。この際、半田付けの信頼性を向上させるために、第１接触部４１０及び第２接触部４２０のそれぞれには、少なくとも一つのホールが形成されることができる。これと異なり、補助電極４００は、異方性導電フィルム（ＡＣＦ）又は銀ペースト等の導電性接着剤によって外部電極３００と接続されることができる。
【００４８】
図６は、本発明の他の実施例による平板蛍光ランプを示す平面図である。
【００４９】
図６を参照すると、本発明の他の実施例による平板蛍光ランプ５００は、ランプ本体２００、外部電極５１０、及び補助電極４００を含む。本実施例において、ランプ本体２００及び補助電極４００は、図１に図示されたものと同じ構造を有するので、同じ参照番号を付与し、その重複説明は省略する。
【００５０】
外部電極５１０は、ランプ本体２００の両端部に全ての放電空間２３０と交差するように形成される。外部電極５１０は、ランプ本体２００の上部面の外面に形成される。これと異なり、外部電極５１０は、ランプ本体２００の上部面及び下部面にそれぞれ形成されることができる。
【００５１】
外部電極５１０は、全ての放電空間２３０と交差される主電極部５１２、主電極部５１２から延長された第１補償電極部５１４、及び第２補償電極部５１６を含む。
【００５２】
主電極部５１２は、全ての放電空間２３０と交差するように放電空間２３０の長手方向と垂直な方向に形成される。主電極部５１２は、全ての放電空間２３０と同じ面積が対応されるように、長手方向に沿って同じ線幅に形成される。一例として、主電極部５１２は、約１０ｍｍの線幅を有する。
【００５３】
第１補償電極部５１４は、外郭と隣接した放電空間２３０、即ち、最上端及び最下端に位置する放電空間２３０に対応して形成される。第１補償電極部５１４は、外郭と隣接した放電空間２３０で発生する輝度低下を補償するために、主電極部５１２から放電空間２３０の中心方向に延長されるように形成される。一例として、第１補償電極部５１４の延長長さは、約２ｍｍ〜約３ｍｍである。
【００５４】
第２補償電極部５１６は、ランプ本体２００の中央部に位置する放電空間２３０、即ち、多数個の放電空間２３０のうち、一番中央に位置する放電空間２３０に対応して形成される。第２補償電極部５１６は、平板蛍光ランプ５００の中央部の輝度を他の領域に対して上昇させるために、主電極部５１２から放電空間２３０の中心方向に延長されるように形成される。一例として、第２補償電極部５１６の延長長さは、約１ｍｍ〜約２ｍｍである。一方、本実施例において、第２補償電極部５１６は、ランプ本体２００の中央部に位置する一つの放電空間２３０にのみ対応して形成されたが、これと異なり、ランプ本体２００の中央部に位置する２個〜５個の放電空間２３０に対応して形成されることができる。
【００５５】
本実施例において、補助電極４００はピン−ホールの発生を防止するために、第１補償電極部５１４及び第２補償電極部５１６が形成された放電空間２３０に対応して外部電極５１０と接触されるように、ランプ本体２００に結合される。具体的に、補助電極４００は、第１補償電極部５１４が形成された最上端及び最下端の放電空間２３０の両端部、及び第２補償電極部５１６が形成された中央部の放電空間２３０の両端部にそれぞれ配置されるので、全部６個の補助電極４００で構成される。
【００５６】
図７は、本発明の一実施例によるバックライトアセンブリを示す分解斜視図であり、図８は、図７に図示されたＩＩ−ＩＩ’に沿って切断した第１モールドの断面図である。
【００５７】
図７及び図８を参照すると、本発明の一実施例によるバックライトアセンブリ６００は、収納容器６１０、平板蛍光ランプ６２０、第１モールド６３０、及びインバータ６４０を含む。
【００５８】
収納容器６１０は、平板蛍光ランプ６２０を収納するために、底部６１２及び底部６１２のエッジから延長され収納空間を形成する側部６１４で構成される。側部６１４は、一例として、他の構成要素との結合空間を提供し、結合力を向上させるために、２段に折曲された構造を有する。収納容器６１０は、強度に優れ、変形が少ない金属で形成される。
【００５９】
平板蛍光ランプ６２０は、ランプ本体２００及び外部電極５１０を含む。本実施例において、ランプ本体２００及び外部電極５１０は、図６に図示されたものと同じ構造を有するので、同じ参照番号を付与し、その重複説明は省略する。
【００６０】
第１モールド６３０は、平板蛍光ランプ６２０の上部から収納容器６１０と結合され平板蛍光ランプ６２０を固定する。第１モールド６３０は、実際に光が出射されない外部電極５１０領域がカバーされるように、平板蛍光ランプ６２０のエッジを固定する。第１モールド６３０には、平板蛍光ランプ６２０の上部面に対応されるように溝６３２が形成される。即ち、溝６３２は、放電空間を形成するために、上部方向に突出された平板蛍光ランプ６２０の放電空間部６２２に対応されるように形成される。
【００６１】
本実施例において、第１モールド６３０は、平板蛍光ランプ６２０のピン−ホールの発生を防止するために、外部電極５１０と接触される補助電極６３４を含む。補助電極６３４は、外部電極５１０との接触のために、外部電極５１０と対向する溝６３２の内側に形成される。この際、補助電極６３４は、第１補償電極部５１４が形成された外郭と隣接した放電空間に対応される溝６３２に形成される。又、補助電極６３４は、第２補償電極部５１６が形成された中央部の放電空間に対応される溝６３２に形成される。一方、第２補償電極部５１６が除去された場合には、これに対応される補助電極６３４も除去されることができる。
【００６２】
一方、第１モールド６３０は、図７に示すように、フレーム形状の一体型に形成される。これと異なり、第１モールド６３０は、「コ」字形状を有する２個の片で構成されるか、平板蛍光ランプ６２０の各辺に対応される４個の片で分割された構造を有することができる。
【００６３】
インバータ６４０は、平板蛍光ランプ６２０の発光のための放電電圧を発生する。インバータ６４０は、外部から印加される低電位の交流電圧を、平板蛍光ランプ６２０を発光させるための高電位の交流電圧に昇圧して放電電圧を出力する。インバータ６４０から発生された放電電圧は、第１電源線６４２及び第２電源線６４４を通じて平板蛍光ランプ６２０の外部電極５１０に印加される。
【００６４】
図９は、本発明の一実施例による液晶表示装置を示す分解斜視図である。
【００６５】
図９を参照すると、本発明の一実施例による液晶表示装置７００は、収納容器７１０、平板蛍光ランプ７２０、インバータ７３０、及びディスプレイユニット８００を含む。
【００６６】
収納容器７１０は、平板蛍光ランプ７２０を収納するための収納空間を有する。収納容器７１０は、図７に図示されたものと同じなので、その重複説明は省略する。
【００６７】
平板蛍光ランプ７２０は、多数の放電空間に分割され光を発生するランプ本体、ランプ本体の両端部に放電空間と交差するように形成された外部電極、及び外部電極と接触されるようにランプ本体に結合された補助電極を含む。外部電極は、全ての放電空間と交差する主電極部及び外郭と隣接した放電空間に対応して主電極部から延長された第１補償電極部を含む。補助電極は、第１補償電極部が形成された放電空間に対応して配置される。外部電極は、ランプ本体の中央部に位置する放電空間に対応して、主電極部から延長された第２補償電極部を更に含むことができる。この際、補助電極は、第２補償電極部が形成された放電空間に対応して更に配置される。平板蛍光ランプ７２０は、図１又は図６に図示された実施例と同じなので、その重複説明は省略する。
【００６８】
インバータ７３０は、平板蛍光ランプ７２０の発光のための放電電圧を発生する。インバータ７３０は、図７に図示されたものと同じなので、その重複説明は省略する。
【００６９】
ディスプレイユニット８００は、平板蛍光ランプ７２０から供給される光を利用して画像を表示する液晶表示パネル８１０、及び液晶表示パネル８１０を駆動するための駆動回路部８２０を含む。
【００７０】
液晶表示パネル８１０は、第１基板８１２、第１基板８１２と対向して結合される第２基板８１４、及び第１基板８１２と第２基板８１４との間に介在された液晶層８１６を含む。
【００７１】
第１基板８１２は、スイッチング素子である薄膜トランジスタ（以下、ＴＦＴと記す）がマトリックス形状に形成されたＴＦＴ基板である。一例として、第１基板８１２は、ガラス材質からなる。前記ＴＦＴのソース端子及びゲート端子には、それぞれデータライン及びゲートラインが接続され、ドレイン端子には透明な導電性材質で形成された画素電極が接続される。
【００７２】
第２基板８１４は、色を具現するためのＲＧＢ画素が薄膜形状に形成されたカラーフィルター基板である。第２基板８１４は、一例として、ガラス材質からなる。第２基板８１４には、透明な導電性材質からなる共通電極が形成される。
【００７３】
このような構成を有する液晶表示パネル８１０は、前記ＴＦＴのゲート端子に電源が印加されＴＦＴがターンオンされると、画素電極と共通電極との間には電界が形成される。このような電界によって第１基板８１２と第２基板８１４との間に介在された液晶層８１６の液晶分子の配列が変化され、液晶分子の配列変化によって平板蛍光ランプ７２０から供給される光の透過度が変更され、所望する諧調の画像を表示することになる。
【００７４】
駆動回路部８２０は、液晶表示パネル８１０にデータ駆動信号を供給するデータ印刷回路基板８２２、液晶表示パネル８１０にゲート駆動信号を供給するゲート印刷回路基板８２４、データ印刷回路基板８２２を液晶表示パネル８１０に接続するデータ延性回路フィルム８２６、及びゲート印刷回路基板８２４を液晶表示パネル８１０に接続するゲート延性回路フィルム８２８を含む。データ延性回路フィルム８２６及びゲート延性回路フィルム８２８は、例えば、テープキャリアパッケージ（ＴＣＰ）又はチップオンフィルム（ＣＯＦ）で構成される。
【００７５】
データ印刷回路基板８２２は、データ延性回路フィルム８２６のベンディングによって収納容器７１０の側面又は背面に配置され、ゲート印刷回路基板８２４は、ゲート延性回路フィルム８２８のベンディングによって収納容器７１０の側面又は背面に配置される。一方、ゲート印刷回路基板８２４は、液晶表示パネル８１０及びゲート延性回路フィルム８２８に別の信号配線を形成することによって、除去されることができる。
【００７６】
液晶表示装置７００は、平板蛍光ランプ７２０と拡散板７５０との間に配置される第１モールド７４０を更に含む。第１モールド７４０は、平板蛍光ランプ７２０の上部から収納容器７１０と結合され平板蛍光ランプ７２０を固定する。第１モールド７４０は、実際に光が出射されない外部電極領域をカバーしながら平板蛍光ランプ７２０のエッジを固定し、拡散板７５０のエッジを支持する。第１モールド７４０は、フレーム形状の一体型に形成されるか、「コ」又は「┐」形状を有する２個の片で形成されるか、各辺に対応される４個の片に分割された構造を有することができる。
【００７７】
一方、平板蛍光ランプ７２０が自体的に補助電極を含まない場合、第１モールド７４０は、図８に図示されたように、第１補償電極部及び／又は第２補償電極部が形成された放電空間に対応して外部電極と接触される補助電極を更に含む。
【００７８】
液晶表示装置７００は、拡散板７５０、光学シート７６０、及び第２モールド７７０を更に含む。
【００７９】
拡散板７５０は平板蛍光ランプ７２０の上部に配置され、平板蛍光ランプ７２０から出射される光を拡散させて、光の輝度均一性を向上させる。拡散板７５０は、所定の厚さを有するプレート形状で形成され、平板蛍光ランプ７２０と一定間隔に離隔するように配置される。拡散板７５０は、光の透過のために透明な材質で形成され、光の拡散のための拡散剤を含む。拡散板７５０は、一例として、ポリメチルメタクリレート（ＰＭＭＡ）材質で形成される。
【００８０】
光学シート７６０は、拡散板７５０の上部に少なくとも一つが配置される。光学シート７６０は、拡散板７５０を通じて拡散された光の経路をもう一度変更して、輝度特性を向上させる。光学シート７６０は、拡散板７５０を通じて拡散された光を正面方向に集光させて、光の正面輝度を向上させるための集光シートを含むことができる。又、光学シート７６０は、拡散板７５０を通じて拡散された光をもう一度拡散させるための拡散シートを含むことができる。一方、液晶表示装置７００には、要求される輝度特性によって多様な機能の光学シートが更に追加されることができる。
【００８１】
第２モールド７７０は、光学シート７６０と液晶表示パネル８１０との間に配置される。第２モールド７７０は、光学シート７６０及び拡散板７５０のエッジを固定し、液晶表示パネル８１０のエッジを支持する。第２モールド７７０は、第１モールド７４０と同様に、フレーム形状の一体型に形成されるか、２個又は４個の片に分割された構造を有することができる。
【００８２】
液晶表示装置７００は、収納容器７１０と平板蛍光ランプ７２０との間に配置され、平板蛍光ランプ７２０を支持する緩衝部材７８０を更に含むことができる。緩衝部材７８０は、平板蛍光ランプ７２０のエッジに対応されるように配置され、平板蛍光ランプ７２０を収納容器７１０と一定距離に離隔させて、平板蛍光ランプ７２０と金属材質の収納容器７１０間の電気的な接触を遮断する。このために、緩衝部材７８０は絶縁物質からなる。又、緩衝部材７８０は、外部から加わる衝撃を吸収するために、ある程度の弾性を有する物質で形成されることが好ましい。一例として、緩衝部材７８０は、シリコン材質からなる。緩衝部材７８０は、「コ」字蛍光を有する２個の片で形成される。これと異なり、緩衝部材７８０は、平板蛍光ランプ７２０の各辺に対応される４個の片で形成されるか、平板蛍光ランプ７２０の４個の角に対応される４個の片で形成されるか、又はフレーム形状の一体型に形成されることができる。
【００８３】
液晶表示装置７００は、ディスプレイユニット８００を固定するためのトップシャーシ７９０を更に含むことができる。トップシャーシ７９０は、収納容器７１０と結合され液晶表示パネル８１０のエッジを固定する。この際、データ印刷回路基板８２２は、データ延性回路フィルム８２６によってベンディングされ、収納容器７１０の側部又は底部に固定される。トップシャーシ７９０は、一例として、変形が少なく、強度に優れた金属で形成される。
【産業上の利用可能性】
【００８４】
このような平板蛍光ランプ、バックライトアセンブリ、及びこれを有する液晶表示装置によると、補償電極部が形成された放電空間に対応して、外部電極と接触されるように別の補助電極を結合することによって、ランプ本体にピン−ホールが発生される不良を防止することができる。
【００８５】
又、平板蛍光ランプを固定するための第１モールドに補償電極部が形成された放電空間に対応して補助電極を形成することによって、ピン−ホール不良を防止することができる。
【００８６】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００８７】
【図１】本発明の一実施例による平板蛍光ランプを示す斜視図である。
【図２】図１に図示された平板蛍光ランプの平面図である。
【図３】図１のＩ−Ｉ’に沿って切断した平板蛍光ランプの断面図である。
【図４】図２に図示された平板蛍光ランプの一部分を拡大した拡大図である。
【図５】図１に図示された補助電極を具体的に示す斜視図である。
【図６】本発明の他の実施例による平板蛍光ランプを示す平面図である。
【図７】本発明の一実施例によるバックライトアセンブリを示す分解斜視図である。
【図８】図７に図示されたＩＩ−ＩＩ’に沿って切断した第１モールドの断面図である。
【図９】本発明の一実施例による液晶表示装置を示す分解斜視図である。
【符号の説明】
【００８８】
１００    平板蛍光ランプ
２００    ランプ本体
２１０    第１基板
２２０    第２基板
３００    外部電極
３１０    主電極部
３２０    第１補償電極部
４００    補助電極
５１４    第２補償電極部
６００    バックライトアセンブリ
６１０    収納容器
６３０    第１モールド
６３２    溝
６３４    補助電極
６４０    インバータ
７００    液晶表示装置
７５０    拡散板
７６０    光学シート
７７０    第２モールド
８００    ディスプレイユニット
８１０    液晶表示パネル
【図１】
2006196445.tif 000003
【図２】
2006196445.tif 000004
【図３】
2006196445.tif 000005
【図４】
2006196445.tif 000006
【図５】
2006196445.tif 000007
【図６】
2006196445.tif 000008
【図７】
2006196445.tif 000009
【図８】
2006196445.tif 000010
【図９】
2006196445.tif 000011